(57)【要約】      （修正有）【解決手段】本発明は、撮影支持設備の分野に関し、具体的には、挟持機構及手持ち雲台に関する。挟持機構は、上挟持部１１と、上挟持部１１と対応して配置される下挟持部１２と、上挟持部１１と下挟持部１２とを接続するための挟持アーム１３と、挟持アーム１３と回動自在に接続される接続アーム２と、挟持アーム１３と接続アーム２との相対回動を制限するためのロックユニット３と、を備え、前記ロックユニット３が挟持アーム１３と接続アーム２との回動接続箇所に配置されている。【効果】挟持アーム１３と接続アーム２と間に挟持アーム１３と接続アーム２との相対回動を制限するためのロックユニット３を設けることによって、挟持アーム１３と接続アーム２とのなす角を保持することを実現できるので、撮影角度を調整済みの携帯電話がさらに回動することを防ぐことができ、手持ち雲台の利用体験をより高く向上させた。【選択図】図１
2020160423.tif 000002
【特許請求の範囲】
【請求項１】
上挟持部と、前記上挟持部と対応して配設される下挟持部と、前記上挟持部と前記下挟持部とを接続するための挟持アームと、前記挟持アームと回動自在に接続される接続アームと、前記挟持アームと前記接続アームとの相対回動を制限するためのロックユニットと、を備え、
前記ロックユニットが前記挟持アームと前記接続アームとの回動接続箇所に配置されていることを特徴とする挟持機構。
【請求項２】
前記ロックユニットは、ロックリングと、前記挟持アームに設けられ、前記接続アームに向かって突出するリング座と、を有し、
前記リング座に雄ねじが設けられ、前記ロックリングに前記雄ねじと対応する雌ねじが設けられ、
前記ロックリングは、前記接続アームに向かって移動し前記接続アームに当接するように、前記雌ねじと前記雄ねじとの螺合によって回動することで、前記挟持アームと前記接続アームとをロックする
ことを特徴とする請求項１に記載の挟持機構。
【請求項３】
前記ロックリングの外面に摩擦力を増加させるためのローレットが設けられていることを特徴とする請求項２に記載の挟持機構。
【請求項４】
さらに、永久磁石、巻線コイル及び回転軸を備え、
前記回転軸の一端が前記接続アームと固定するように接続され、
前記永久磁石が、前記回転軸と同軸に、前記接続アームに固定するように配置され、
前記挟持アームに、前記接続アームに向かって突出するブッシュが設けられ、前記回転軸の他端が前記ブッシュを貫通して前記ブッシュと回動自在に接続され、
前記巻線コイルは、前記ブッシュに取り付けられ、前記永久磁石内に位置する
ことを特徴とする請求項１又は２に記載の挟持機構。
【請求項５】
前記挟持アームには、さらに、一端が前記リング座と接続され、他端が前記ブッシュと接続されるリブが設けられていることを特徴とする請求項４に記載の挟持機構。
【請求項６】
さらに、充電ポート、電池及びプリント基板を備え、
前記プリント基板が前記挟持アーム内に配置され、
前記充電ポートの一端が前記プリント基板と電気接続され、他端が前記挟持アームから露出し、
前記電池は、前記プリント基板と電気接続されるとともに前記挟持アーム内に位置し、
前記巻線コイルは、前記プリント基板と電気接続されている
ことを特徴とする請求項４に記載の挟持機構。
【請求項７】
前記ロックユニットは、ロックリングと、前記接続アームに設けられ前記挟持アームに向かって突出するリング座と、を有し、
前記リング座に雄ねじが設けられ、前記ロックリングに前記雄ねじと対応する雌ねじが設けられ、
前記ロックリングは、前記挟持アームに向かって移動し前記挟持アームに当接するように、前記雌ねじと前記雄ねじの螺合によって回動することで、前記挟持アームと前記接続アームとをロックする
ことを特徴とする請求項１に記載の挟持機構。
【請求項８】
ハンドルを備える手持ち雲台であって、
さらに、請求項１乃至７のいずれか一項に記載の挟持機構を備え、
前記ハンドルの一端は、前記接続アームと回動自在に接続されている
ことを特徴とする手持ち雲台。
【請求項９】
さらに、リモコンを備え、
前記リモコンは、脱着可能に前記ハンドルに取り付けられていることを特徴とする請求項８に記載の手持ち雲台。
【請求項１０】
さらに、前記ハンドルに収納可能な伸縮棒を備え、
前記伸縮棒の一端が前記ハンドルと接続され、他端が前記接続アームと回動自在に接続されていることを特徴とする請求項９に記載の手持ち雲台。
【発明の詳細な説明】
【技術分野】
【０００１】
本発明は、撮影支持設備の分野に関し、具体的には、挟持機構及び手持ち雲台に関する。
【背景技術】
【０００２】
手持ち雲台は、携帯電話用スタビライザ、揺れ止め雲台とも称する。これは、従来の自撮り棒の機能のみならず、より高いバランス性、精度を有する。さらに、手持ち雲台に機械的なバランス調整システムが内蔵され、利用者がその他の用具を使わずに、携帯電話のバランスを自動調整することができるので、揺れによるピンボケ、画像振れ等の問題が有効に改善できる。
【０００３】
しかしながら、手持ち雲台が電源切れ状態又は電池がなくなる状態になる場合、携帯電話を挟持すると、揺れひいては回動が生じる恐れがあるので、携帯電話の画面の回転が発生してしまうことがある。このため、従来の手持ち雲台には、改善の余地がある。
【発明の概要】
【発明が解決しようとする課題】
【０００４】
本発明は、従来技術の上記欠陥を鑑みてなされたものであり、携帯電話の回動を防止するための挟持機構を提供することを目的とする。
【課題を解決するための手段】
【０００５】
本発明の技術的課題を解決するための技術案は、以下の構成を有する。
挟持機構は、上挟持部と、上挟持部と対応して配設される下挟持部と、上挟持部と下挟持部とを接続するための挟持アームと、挟持アームと回動自在に接続される接続アームと、挟持アームと接続アームとの相対回動を制限するためのロックユニットと、を備え、ロックユニットが挟持アームと接続アームとの回動接続箇所に配置されている。
【０００６】
本発明の好ましい技術案において、ロックユニットは、ロックリングと、挟持アームに設けられ、接続アームに向かって突出するリング座と、を有し、リング座に雄ねじが設けられ、ロックリングに雄ねじと対応する雌ねじが設けられ、ロックリングは、接続アームに向かって移動し接続アームに当接するように、雌ねじと雄ねじとの螺合によって回動することで、挟持アームと接続アームとをロックする。
【０００７】
本発明の好ましい技術案において、ロックリングの外面に摩擦力を増加させるためのローレットが設けられている。
【０００８】
本発明の好ましい技術案において、さらに、永久磁石、巻線コイル及び回転軸を備え、回転軸の一端が接続アームと固定するように接続され、永久磁石が、回転軸と同軸に、接続アームに固定するように配置され、挟持アームに、接続アームに向かって突出するブッシュが設けられ、回転軸の他端がブッシュを貫通してブッシュと回動自在に接続され、巻線コイルは、ブッシュに取り付けられ、永久磁石内に位置する。
【０００９】
本発明の好ましい技術案において、挟持アームには、さらに、一端がリング座と接続され、他端がブッシュと接続されるリブが設けられている。
【００１０】
本発明の好ましい技術案において、さらに、充電ポート、電池及びプリント基板を備え、プリント基板が挟持アーム内に配置され、充電ポートの一端がプリント基板と電気接続され、他端が挟持アームから露出し、電池は、プリント基板と電気接続されるとともに挟持アーム内に位置し、巻線コイルは、プリント基板と電気接続されている。
【００１１】
本発明の好ましい技術案において、ロックユニットは、ロックリングと、接続アームに設けられ挟持アームに向かって突出するリング座と、を有し、リング座に雄ねじが設けられ、ロックリングに雄ねじと対応する雌ねじが設けられ、ロックリングは、挟持アームに向かって移動し挟持アームに当接するように、雌ねじと雄ねじの螺合によって回動することで、挟持アームと接続アームとをロックする。
【００１２】
本発明の好ましい技術案において、手持ち雲台は、ハンドルを備え、さらに、上記の挟持機構を備え、ハンドルの一端が接続アームと回動自在に接続されている。
【００１３】
本発明の好ましい技術案において、さらに、リモコンを備え、リモコンは、脱着可能にハンドルに取り付けられている。
【００１４】
本発明の好ましい技術案において、さらに、ハンドルに収納可能な伸縮棒を備え、伸縮棒の一端がハンドルと接続され、他端が接続アームと回動自在に接続されている。
【発明の効果】
【００１５】
本発明は、以下の有益な効果を有する。
挟持アームと接続アームとの間に挟持アームと接続アームとの相対回動を制限するためのロックユニットを設けることによって、挟持アームと接続アームとのなす角を保持することを実現できるので、撮影角度を調整済みの携帯電話がさらに回動することを防ぐことができ、手持ち雲台の利用体験をより高く向上させることができる。
【図面の簡単な説明】
【００１６】
【図１】本発明の実施例による挟持機構の構成の斜視模式図である。
【図２】本発明の実施例による挟持機構の分解状態の模式図である。
【図３】本発明の実施例によるロックユニットの分解状態の模式図である。
【図４】本発明の実施例による挟持機構の断面図である。
【図５】本発明の実施例による回転軸の構成の斜視模式図である。
【図６】本発明の実施例による巻線コイルの構成の斜視模式図である。
【図７】本発明の実施例による手持ち雲台の構成の斜視模式図である。
【発明を実施するための形態】
【００１７】
以下、図面を参照しながら、本発明の好ましい実施例を詳しく説明する。
図１、図２に示すように、本実施例の挟持機構は、上挟持部１１と、上挟持部１１と対応して配置される下挟持部１２と、上挟持部１１と下挟持部１２とを接続するための挟持アーム１３と、挟持アーム１３と回動自在に接続される接続アーム２と、挟持アーム１３と接続アーム２との相対回動を制限するためのロックユニット３と、を備え、ロックユニット３が、挟持アーム１３と接続アーム２との回動接続箇所に配置されている。挟持アーム１３と接続アーム２との間に挟持アーム１３と接続アーム２との相対回動を制限するためのロックユニット３を設けることによって、挟持アーム１３と接続アーム２とのなす角を保持することを実現できるので、撮影角度を調整済みの携帯電話がさらに回動することを防ぐことができ、手持ち雲台の利用体験をより高く向上させることができる。
【００１８】
図３も参照すると、具体的には、ロックユニット３は、ロックリング３１と、挟持アーム１３に設けられ接続アーム２に向かって突出するリング座３２と、を有する。リング座３２に、雄ねじが設けられている。ロックリング３１は、該雄ねじに対応する雌ねじが設けられ、雌ねじと雄ねじとの螺合によって移動可能にリング座３２に取り付けられている。ロックリング３１の表面には、ロックリング３１を容易に回転させられるように、摩擦力を増加するためのローレットが設けられている。挟持アーム１３を回動させようとするときには、接続アーム２から離間するようにロックリング３１を緩め、挟持アーム１３を固定しようとするときには、接続アーム２に当接するように、ロックリング３１を締めることによって、挟持アーム１３の回動を防ぐ。同様に、リング座３２が接続アーム２に設けられ、挟持アーム１３に向かって突出するように構成されてもよい。その場合、ロックリング３１は、挟持アーム１３に向かって移動し挟持アーム１３に当接するように、雌ねじと雄ねじの螺合によって回動されることで、挟持アーム１３と接続アーム２とをロックする。
【００１９】
図２、図４に示すように、挟持機構の利用体験を向上させるために、挟持アーム１３は、手動及び電動で回動させることができるように構成されている。このため、挟持機構は、環状磁気体４１と、巻線コイル４２と、回転軸４３とを有する雲台モータをさらに備える。回転軸４３の一端が、接続アーム２と固定するように接続されている。環状磁気体４１は、回転軸４３と同軸に接続アーム２に固定するように配置されている。挟持アーム１３には、接続アーム２に向かって突出するブッシュ１４が設けられ、回転軸４３の他端が、ブッシュ１４を貫通してブッシュ１４と回動自在に接続されている。巻線コイル４２は、ブッシュ１４に取り付けられ、環状磁気体４１内に位置する。電動回動する場合、該挟持装置は、適応型バランス機能を有する。より好ましくは、ブッシュ１４とリング座３２との強度を向上させるために、挟持アーム１３に、一端がリング座３２と接続され、他端がブッシュ１４と接続される複数のリブ１６が設けられている。
【００２０】
図５、図６も参考すると、回転軸４３の一端は、六角形構成に形成され、該六角形構成により回動不能に接続アーム２に固定されている。円環状の環状磁気体４１は、接続アーム２に取り付けられ、回転軸４３と同軸に設けられている。挟持アーム１３には、接続アーム２に向かって突出するブッシュ１４が設けられ、ブッシュ１４内に２つの軸受１５が配置されている。回転軸４３の他端は、２つの軸受１５を介してブッシュ１４と同軸に接続され、回転軸４３の端部によって、ワッシャ及びロックナット４４を介して挟持アーム１３が回動可能に回転軸４３に取り付けられている。巻線コイル４２は、ブッシュ１４に取り付けられ、環状磁気体４１の内部に位置する。好ましくは、本実施例において、巻線コイル４２が、同角度で分布配置されたサブコイルを１１組有する。
【００２１】
図３、図４を参照すると、挟持機構は、さらに、充電ポート１７、電池及びプリント基板１８を備える。プリント基板１８は、挟持アーム１３の内部に取り付けられている。充電ポート１７の一端は、プリント基板１８と電気接続され、他端が挟持アーム１３から露出する。電池は、プリント基板１８と電気接続され、挟持アーム１３内に配置されている。巻線コイル４２は、該プリント基板１８と電気接続され、電池により給電される。
【００２２】
本実施例の挟持機構は、以下のように操作される。まず、ロックリング３１と接続アーム２との間に間隙が形成されるように、ロックリング３１を緩めて下へ（図示方向）移動させる。そして、挟持機構の電源を入れ、雲台モータによって、挟持アーム１３を一定の角度回動するように駆動するとともに、挟持アーム１３及び挟持アーム１３に取付けられる携帯電話のバランスを保つようにする。雲台モータの電源を切断した場合、手動で必要な撮影角度まで挟持アーム１３を回動させた後、ロックリング３１を上へ移動させて接続アーム２に当接するように、ロックリング３１を締めることで、挟持アーム１３と接続アーム２とのなす角を保持することができる。
【００２３】
さらに、図７に示すように、本発明は、ハンドル５、伸縮棒（図示せず）及び挟持機構を備える手持ち雲台を提供する。具体的には、伸縮棒の一端が、ハンドル５と接続され、他端が接続アーム２と回動自在に接続されている。ハンドル５は、嵌合部５１と、嵌合部５１の下端と回動自在に接続される少なくとも３つの支持脚５２とを有する。本実施例のハンドル５は３つの支持脚を有することが好ましい。この３つの支持脚５２を畳むと手持ち用の部分として使用でき、嵌合部５１と畳んだ後の支持脚５２との内部にチャンバが形成され、伸縮棒がチャンバ内に収納されることができる。三脚スタンドモードで自撮りしようとするときには、３つの支持脚５２を開いて使用すればよく、手持ちで自撮り又は収納しようとするときには、３つの支持脚５２を伸縮棒に近づくように回動することで、手持ち又は収納することができるので、非常に便利である。
【００２４】
手持ち雲台の利用体験を向上させるために、手持ち雲台は、さらにリモコン６を備え、リモコン６が脱着可能に嵌合部５１に取り付けられている。三脚スタンドモードで自撮りするとき、利用者と手持ち雲台との距離が遠くなり、このとき、リモコン６を手持ちして遠距離操作を行うことで遠距離の撮影を実現することができる。手持ちで撮影するモードでは、ハンドル５に組み込むリモコン６で近距離の撮影を行うことができる。
【００２５】
上記実施例は、本発明の技術案を説明するためのものに過ぎず、本発明を限定するものではないと理解すべきである。当業者にとって、上記実施例に記載された技術案を変更し、又はそのうちの一部の技術的特徴に対して均等置換を行うこともできる。これらの変更又は置換は、いずれも本発明の特許請求の範囲に属する。
【図１】
2020160423.tif 000003
【図２】
2020160423.tif 000004
【図３】
2020160423.tif 000005
【図４】
2020160423.tif 000006
【図５】
2020160423.tif 000007
【図６】
2020160423.tif 000008
【図７】
2020160423.tif 000009